(57)【要約】【課題】原稿照明装置の読み取り領域における放射照度を高める。【解決手段】原稿照明装置は、長手方向に延びる平坦な底面と、前記長手方向に延び前記底面に対して短手方向に傾斜している平坦な射出面と、前記長手方向に延び前記底面と前記射出面との間をつなぐ側面とが形成されている導光部材と、前記底面と前記側面とに対向して設けられ、前記底面と前記側面から射出される光を散乱させる散乱部材と、前記導光部材の前記長手方向の端面に対向して設けられる光源と、を備える。【選択図】図２
2014120971.tif 000002
【特許請求の範囲】
【請求項１】
長手方向に延びる平坦な底面と、前記長手方向に延び前記底面に対して短手方向に傾斜している平坦な射出面と、前記長手方向に延び前記底面と前記射出面との間をつなぐ側面とが形成されている導光部材と、
前記底面と前記側面とに対向して設けられ、前記底面と前記側面から射出される光を散乱させる散乱部材と、
前記導光部材の前記長手方向の端面に対向して設けられる光源と、
を備える原稿照明装置。
【請求項２】
前記側面は、突部を有し、
前記散乱部材は、前記突部より前記底面側に設けられている、
請求項１に記載の原稿照明装置。
【請求項３】
前記導光部材の長手方向に受光面が伸びるリニアイメージセンサーと、
請求項１または２に記載の原稿照明装置と、
前記原稿照明装置に沿って設けられ、光軸が前記原稿照明装置の底面の垂線と交わり前記リニアイメージセンサーの受光面に正立等倍像を結ぶレンズ部材と、
を備える密着型イメージセンサーモジュール。
【請求項４】
前記射出面は前記レンズ部材の光軸に対して垂直でない、
請求項３に記載の密着型イメージセンサーモジュール。
【請求項５】
前記射出面は前記レンズ部材の光軸の方を向いている、
請求項４に記載の密着型イメージセンサーモジュール。
【請求項６】
請求項３から５に記載の密着型イメージセンサーモジュールと、
前記原稿照明装置および前記レンズ部材に対して原稿を位置決めする位置決め部材と、
を備える画像読み取り装置。
【発明の詳細な説明】
【技術分野】
【０００１】
本発明は、原稿照明装置、密着型イメージセンサーモジュールおよび画像読み取り装置に関する。
【背景技術】
【０００２】
従来、イメージスキャナー、ファクシミリ等の画像読み取り装置では、密着型イメージセンサーモジュールが多用されている。密着型イメージセンサーモジュールでは、原稿の読み取り幅以上の幅を持つイメージセンサーを原稿に近接して配置し、正立等倍像を結ぶ結像光学装置を原稿とイメージセンサーの間に配置する。この結像光学装置には、屈折率分布型レンズを多数配列したレンズアレイを用いることが一般的である。
【０００３】
近年、多数の曲面レンズを形成したレンズ部材と個々の曲面レンズに対応する多数の貫通孔を形成した遮光部材とを組み合わせて屈折率分布型レンズの代わりに用いることで結像光学装置の製造コストを低減しようとする試みがなされている（例えば特許文献１参照）。一般に、このような曲面レンズを形成したレンズ部材は、屈折率分布型レンズに比べて数倍厚く（レンズ径が大きく）なる。
【０００４】
画像読み取り装置において密着型イメージセンサーモジュールが用いられる場合には、レンズ部材に対して極めて近い位置に原稿照明装置を配置してレンズの光軸と原稿面が交わる領域を照明する。このような原稿照明装置は、レンズアレイの配列方向に長い棒状の導光部材と導光部材の長手方向端面に近接配置される光源とを備えている。
【先行技術文献】
【特許文献】
【０００５】
【特許文献１】特開２０００−２１４３０５号公報
【発明の概要】
【発明が解決しようとする課題】
【０００６】
しかし、曲面レンズを形成したレンズ部材は、屈折率分布型レンズに比べて数倍厚くなるため、レンズの光軸と導光部材との距離が遠くなり、その結果、原稿の読み取り領域が暗くなるという問題がある。
【０００７】
本発明は、原稿照明装置の読み取り領域における放射照度を高めることを目的の１つとする。
【課題を解決するための手段】
【０００８】
（１）上記目的を達成するための原稿照明装置は、長手方向に延びる平坦な底面と、前記長手方向に延び前記底面に対して短手方向に傾斜している平坦な射出面と、前記長手方向に延び前記底面と前記射出面との間をつなぐ側面とが形成されている導光部材と、前記底面と前記側面とに対向して設けられ、前記底面と前記側面から射出される光を散乱させる散乱部材と、前記導光部材の前記長手方向の端面に対向して設けられる光源と、を備える。
【０００９】
本発明によると、光源から導光部材に入射した光は、導光部材の底面と側面から射出すると散乱部材によって散乱し、射出面に入射する。射出面は短手方向において底面と平行でないため、散乱部材によって散乱された光の主成分は射出面において導光部材の短手方向に屈折する。これにより、導光部材は、特定の条件下では、導光部材の底面が向いている方向、すなわちその底面に垂直な方向よりも「遠い領域」に光の主成分を射出することができる。
【００１０】
ここで「遠い領域」について図１を用いて説明する。導光部材の底面ｐ１に対して垂直な方向に進む任意の光束の射出面ｐ２との交点ｂで、導光体から空気中に射出する光は、スネルの法則に従い、導光部材の屈折率（例えば１．５とする。）と空気の屈折率差により、射出面側に傾いて射出する。従って、交点ｂを頂点とし、光束ａｂの任意の長さの延長線分である辺ｂｃと、辺ｂｃと長さが等しく光束ａｂが屈折した光束と平行な線分である辺ｂｄとを有する二等辺三角形ｂｃｄと、頂点ｄを通り辺ｂｃと交わる平面ｐ３とを規定すると、ｂｄ＞ｂｅとなる。すなわち、このような平面ｐ３を原稿面とするとき、導光部材の底面ｐ１に対して垂直な方向に進む任意の光束は、射出面ｐ２が底面ｐ１と平行である場合に比べて、射出面ｐ２との交点ｂから遠い領域を照射する。したがって本発明による原稿照明装置をこのような条件で原稿面に対して位置決めする場合、放射照度を落とさずに目標とする原稿領域からより遠い位置に原稿照明装置を配置することができる。また、導光部材の厚さＴが同一である条件では、射出面ｐ２が底面ｐ１と平行である場合に比べて、射出面ｐ２の面積を大きくできるため、本発明は光利用効率を高めることができる。すなわち、本発明によると、原稿照明装置を読み取り領域から遠くに配置しなければならない条件下において、読み取り領域における放射照度を高めることができる。
【００１１】
（２）上記目的を達成するための原稿照明装置において、前記側面は、突部を有し、前記散乱部材は、前記突部より前記底面側に設けられていてもよい。
この構成を採用すると散乱部材と導光部材との隙間から光がもれることを抑制できる。これにより、原稿照明装置によって読み取り領域を均一に照明することができる。
【００１２】
（３）上記目的を達成するための密着型イメージセンサーモジュールは、前記導光部材の長手方向に受光面が伸びるリニアイメージセンサーと、前記原稿照明装置と、前記原稿照明装置に沿って設けられ、光軸が前記原稿照明装置の底面の垂線と交わり前記リニアイメージセンサーの受光面に正立等倍像を結ぶレンズ部材と、を備える。
本発明によると、上述の原稿照明装置によって照明された原稿をリニアイメージセンサーに結像させることができる。そして、原稿照明装置とレンズ部材の光軸との距離が離れていても、明るい原稿像をリニアイメージセンサに結ぶことができる。
【００１３】
（４）プラテンガラス等の位置決め部材によって位置決めした原稿を読み取る場合、密着型イメージセンサーモジュールと原稿の間に位置決め部材がレンズ部材の光軸と垂直な姿勢で設けられる。導光部材の射出面から射出された光が位置決め部材と射出面とで反射を繰り返すと、リニアイメージセンサーの受光面にゴーストが形成される。一般に、レンズ部材の光軸は原稿面に対して垂直に位置決めされる。仮に、レンズ部材の光軸と導光部材の射出面とが垂直であると、原稿面と射出面とが平行になる。
【００１４】
そこで上記目的を達成するための密着型イメージセンサーモジュールにおいて、前記射出面は前記レンズ部材の光軸に対して垂直でなくともよい。
この構成を採用する場合、位置決め部材と射出面とでの多重反射を抑制できるため、リニアイメージセンサーの受光面に形成されるゴーストを抑制できる。
【００１５】
（５）上記目的を達成するための密着型イメージセンサーモジュールにおいて、前記射出面は前記レンズ部材の光軸の方を向いていてもよい。
図１に示す平面ｐ３が射出面ｐ２と平行であると仮定すると、射出面がレンズ部材の光軸の方を向いている状態とは、射出面ｐ２が図示の姿勢よりも左上がりになっている状態である。この状態に導光部材を位置決めあるいは射出面ｐ２を設定すると、射出面ｐ２がレンズ部材の光軸ｄｆの方を向いていない状態(図１の状態)に導光部材を位置決めする場合に比べて、ゴーストを抑制しつつ、より遠くの領域を照明することができる。
【００１６】
（６）上記目的を達成するための画像読み取り装置は、前記密着型イメージセンサーモジュールと、前記原稿照明装置および前記レンズ部材に対して原稿を位置決めする位置決め部材と、を備える。
本発明によると、原稿を明るく読み取ることができる。
【図面の簡単な説明】
【００１７】
【図１】本発明の原理を説明するための光路図。
【図２】図２Ａは本発明の実施形態にかかる断面図。図２Ｂは本発明の実施形態にかかる平面図。
【図３】本発明の実施形態にかかる光路図。
【図４】本発明の実施形態にかかる断面図。
【図５】本発明の実施形態にかかる断面図。
【図６】本発明の実施形態にかかる折れ線グラフ。
【図７】本発明の実施形態にかかる折れ線グラフ。
【図８】本発明の実施形態にかかるイメージ図。
【図９】本発明の実施形態にかかるイメージ図。
【発明を実施するための形態】
【００１８】
以下、本発明の実施の形態を添付図面を参照しながら説明する。尚、各図において対応する構成要素には同一の符号が付され、重複する説明は省略される。
【００１９】
１．第一実施例
本発明による画像読み取り装置の第一実施例の構成を図２に示す。図２Ａは図２Ｂに示す２Ａ−２Ａ線の断面図に相当する。この画像読み取り装置１００は、原稿照明装置１と結像光学装置２０とリニアイメージセンサー５０とを含む接触型イメージセンサーモジュールと、プラテンガラス４０と、図示しないアナログデジタル変換器、副走査機構、制御部等を備える。
【００２０】
位置決め部材としてのプラテンガラス４０は、対象物としての図示しない原稿を結像光学装置２０に対して位置決めするための透明な平板の部材である。
【００２１】
リニアイメージセンサー５０と結像光学装置２０と原稿照明装置１とは、プラテンガラス４０と平行に移動する図示しない不透明ハウジングによってそれぞれの相対的な位置関係が固定されている。結像光学装置２０は、リニアイメージセンサー５０の受光面５０ａに正立等倍像を結ぶようにプラテンガラス４０とリニアイメージセンサー５０との間に設けられている。
【００２２】
撮像素子としてのリニアイメージセンサー５０は、プラテンガラス４０と平行でプラテンガラス４０に対向する受光面５０ａを有する。受光面５０ａには図示しない多数の光電変換素子が主走査方向に配列されている。
【００２３】
結像光学装置２０は、レンズ部材２１と図示しない遮光部材を備える。レンズ部材２１は、対向する２つの端面のそれぞれに多数のレンズ面２１ａ、２１ｂが直線的に配列されている透明ガラス部材である。レンズ位置決め部材２２はレンズ面２１ａ、２１ｂの光軸がプラテンガラス４０に対して垂直になる姿勢でレンズ部材２１と遮光部材を固定している。レンズ部材２１のプラテンガラス４０側の端面とリニアイメージセンサー５０側の端面とは同一形状である。すなわち、レンズ部材２１のプラテンガラス４０側のレンズ面２１ａと、レンズ部材２１のリニアイメージセンサー５０側のレンズ面２１ｂとは同一の形状を有し、それぞれの端面におけるレンズ面２１ａ、２１ｂの配置も同一である。遮光部材には、それぞれをレンズ面２１ａ、２１ｂの光軸が通る複数のアパーチャが形成されて主走査方向に配列されている。
【００２４】
原稿照明装置１は、結像光学装置２０に近接して設けられる。原稿照明装置１は、導光部材１０と散乱部材１３と光源１５とを備えている。
【００２５】
導光部材１０は主走査方向に長い棒状のアクリル樹脂（ＰＭＭＡ）からなる透明な部材である。導光部材１０の素材としてＣＯＰ、ＣＯＣ等のアクリル以外の樹脂を用いてもよいし、ガラスを用いてもよい。導光部材１０の長手方向に延びる面のうち、プラテンガラス４０と近接して対向する平坦面が射出面１０ｂである。射出面１０ｂの裏側の平坦面が底面１０ａである。射出面１０ｂと底面１０ａとの間の両側に側面１０ｃ、１０ｄが形成されている。
【００２６】
導光部材１０の底面１０ａはその垂線がプラテンガラス４０側においてレンズ部材２１の光軸と交わる向きに傾斜している。すなわち、導光部材１０は、底面１０ａから垂直に射出面１０ｂに向かって進む光がレンズ部材２１の光軸に接近するように傾いた姿勢でレンズ部材２１に対して位置決めされている。底面１０ａとプラテンガラス４０とがなす角θ４は、レンズ部材２１の光軸から導光部材１０までの距離や導光部材１０の屈折率や射出面１０ｂの傾斜角θ３によって最適な角度が決まるが、θ４が大きくなるほど導光部材１０からプラテンガラス４０と平行な方向に遠い原稿領域を照明することができる。本実施例では厚さｔ＝４ｍｍの結像光学装置２０に対してθ４＝５０°とする。
【００２７】
導光部材１０の射出面１０ｂは底面１０ａと平行でない。そして射出面１０ｂは、プラテンガラス４０に対して底面１０ａと同じ方に傾斜している。すなわち、射出面１０ｂは、レンズ部材２１の光軸から近い方の辺においてプラテンガラス４０から遠く、レンズ部材２１の光軸から遠い方の辺においてプラテンガラス４０から近い。射出面１０ｂとプラテンガラス４０とがなす角θ３は、レンズ部材２１の光軸から導光部材１０までの距離や導光部材１０の屈折率や底面１０ａの傾斜角θ４によって最適な角度が決まるが、０°＜θ３＜θ４とすることが好ましい。θ３が０°に近付くと、すなわち射出面１０ｂとプラテンガラス４０とが平行に近付くと、射出面１０ｂとプラテンガラス４０とで多重反射が起こりやすくなる。このような多重反射は、θ３≧１０°とすることにより、効果的に抑制できる。一方、底面１０ａと射出面１０ｂとがなす角（θ４−θ３）が大きくなるほど、射出面１０ｂを広くすることができ、また、射出面１０ｂでの屈折効果により導光部材１０からプラテンガラス４０と平行な方向に遠い原稿領域を照明することができる。本実施例ではθ３＝２０°とする。
【００２８】
導光部材１０の側面１０ｄには突部１２が形成されている。また側面１０ｄは、射出面１０ｂ側で側面１０ｃに接近するように中間部で屈折している。そして側面１０ｄの射出面１０ｂ側の平坦部は突部１２までの領域において結像光学装置２０の位置決め部材２２に密着している。これにより、導光部材１０の射出面１０ｂをレンズ部材２１の光軸に接近させることができる。
導光部材１０の側面１０ｃは、射出面１０ｂ側で側面１０ｄに接近するように中間部で屈折している。側面１０ｃの射出面１０ｂ側の縁には突部１１が形成されている。この突部１１は図示しないハウジングに隣接している。
【００２９】
導光部材１０の底面１０ａには光源１５から入射光を長手方向対して均一に分配反射するための光散乱構造を作りこんである。例えば光源１５の光が入射する側は小さく、遠くなるに従って大きくなるパターンを白塗料で印刷したり、または、底面１０ａにカマボコ状の溝を、光源１５の光が入射する側から遠くなるに従いピッチを小さくして配置したり、ピッチを同じにして光源１５の光が入射する側から遠くなるにしたがってカマボコ状の溝のサグ量を大きくするなどの構造とする。このような印刷パターンや溝のピッチは１〜３ｍｍが望ましい。これより大きいピッチでは照明状態に不均一を生じ、小さいとパターンを形成しにくくなる。ここに示した白パターンや溝の形以外でも同様の効果を示す形状であれば適用できる。導光部材１０の側面１０ｃと１０ｄは、光射出側に向けて穏やかに折れた面となっているので、底面１０ａで散乱した光を効率よく光射出面１０ｂに導くことができる。
散乱部材３０は、高い反射率の散乱面３０ａを有するシート状の部材であって、図示しないハウジングと導光部材１０の間に配置されている。散乱部材３０は、導光部材１０の側面１０ｃ、底面１０ａ、側面１０ｄに対して散乱面３０ａがわずかに離れて対向する位置にあって、導光部材１０の側面１０ｃから底面１０ａを経て側面１０ｄに回り込んでいる。そして、散乱面３０ａと導光部材１０の側面１０ｃとの隙間のプラテンガラス４０側の端部は突部１１によって閉じられている。これにより導光部材１０の側面１０ｃと散乱部材３０の隙間からプラテンガラス４０に向かって光が漏れ出ることが防止される。また、散乱面３０ａと導光部材１０の側面１０ｄとの隙間のプラテンガラス４０側の端部は突部１２によって閉じられている。これにより導光部材１０の側面１０ｄと位置決め部材２２との隙間からプラテンガラス４０に向かって光が漏れ出ることが防止される。また導光部材１０の側面１０ｄの全部が散乱部材３０で覆われていないため、導光部材１０を位置決め部材２２に密着させてレンズ部材２１の光軸に接近させることができる。
【００３０】
また、散乱面３０ａは、導光部材１０の側面１０ｃと平行に曲がっているため、導光部材１０の側面１０ｃの屈折部から突部１１までの領域から出た光の主成分は、散乱面３０ａで散乱することにより、導光部材１０の底面１０ａに接近する方向に向かって導光部材１０の側面１０ｃに再入射する。また、散乱面３０ａは、導光部材１０の側面１０ｄと平行に曲がっているため、導光部材１０の側面１０ｄの屈折部から突部１２までの領域から出た光の主成分は、散乱面３０ａで散乱することにより、導光部材１０の底面１０ａに接近する方向に向かって導光部材１０の側面１０ｄに再入射する。
【００３１】
光源１５は、図２Ｂに示すように、導光部材１０の主走査方向の端部すなわち長手方向の端部に対向している。光源１５は導光部材１０の長手方向の端部に向かって光を放射するＬＥＤを備えている。
【００３２】
光源１５から放射された光は導光部材１０の長手方向の一端部に入射して導光部材１０の他端部に向かって進む。導光部材１０の底面１０ａに入射した光は白パターンまたは溝構造により光出射面１０ｂに向けて反射散乱する。
【００３３】
図３に示すように、底面１０ａから導光部材１０に入射する光の主成分は、底面１０ａに垂直な方向に進み、射出面１０ｂにおいて屈折してプラテンガラス４０に向かう。導光部材１０の絶対屈折率が空気の絶対屈折率よりも大きいため、射出面１０ｂにおける屈折角θ２は入射角θ１よりも大きくなる。したがって、導光部材１０の底面１０ａに対して垂直な光束ＡＢはその延長線がプラテンガラス４０の底面に交わる点よりもレンズ部材２１の光軸ＤＥに近い点Ｃにおいてプラテンガラス４０に入射する。すなわち、導光部材１０の射出面１０ｂから放射される光の主成分は射出面１０ｂが底面１０ａに対して平行な場合よりも、導光部材１０からプラテンガラス４０と平行な方向において遠い原稿領域Ｄを照明する。レンズ部材２１の光軸ＤＥとの関係でいえば、導光部材１０の射出面１０ｂから放射される光の主成分は射出面１０ｂが底面１０ａに対して平行な場合よりも、光軸ＤＥに近い原稿領域Ｄを照明する。
【００３４】
２．第二実施例
図４に本発明の第二実施例による画像読み取り装置２００を示す。第二実施例は、導光部材１０の射出面１０ｂがプラテンガラス４０と平行であり、導光部材１０のレンズ部材２１側の側面１０ｄに導光部材１０と散乱部材３０との隙間を塞ぐ突部が形成されていない点においてのみ第一実施例と異なる。
【００３５】
３．比較例と実施例の比較
図５に比較例としての画像読み取り装置３００を示す。比較例は、導光部材１０の射出面１０ｂが底面１０ａと平行であり、導光部材１０の側面１０ｃ、１０ｄのいずれにも導光部材１０と散乱部材３０との隙間を塞ぐ突部が形成されていない点においてのみ第一実施例と異なる。
【００３６】
以下、レンズ部材２１の光軸と原稿面が交わる領域における放射照度を比較例と実施例とについてＬｉｇｈｔ  Ｔｏｏｌｓ（登録商標）を用いてシミュレーションした結果に基づいて実施例の効果を説明する。シミュレーションに用いた設定値は以下のとおりである（寸法を示す符号については図２、図４、図５を参照）。
【００３７】
導光部材１０の厚さＴ：２ｍｍ
導光部材１０の高さＨ：４ｍｍ
導光部材１０の絶対屈折率：１．５２
プラテンガラス４０の厚さｄ１：２．８ｍｍ
プラテンガラス４０の絶対屈折率：１．５２
導光部材１０からプラテンガラス４０までの第一実施例の距離ｄ３：０．６６ｍｍ
導光部材１０からプラテンガラス４０までの第二実施例の距離ｄ４：０．６６ｍｍ
導光部材１０からプラテンガラス４０までの比較例の距離ｄ５：０．６６ｍｍ
【００３８】
図６は比較例のシミュレーション結果、図７は第二実施例のシミュレーション結果である。図６、図７において、実線は横軸を主走査方向の変位としてレンズ部材の光軸上の各位置の放射照度を示し、一点鎖線は横軸を副走査方向の変位として主走査方向の中央位置における放射照度を示している。
【００３９】
図６に示すように、比較例では主走査方向端部領域において放射照度が突出して高くなっている。これは、導光部材１０の側面１０ｃ、１０ｄに突部がないため、光源１５から放射された光の一部が導光部材１０に入射せずに導光部材１０と散乱部材３０の隙間を通って原稿面に到達したことによる。これに対して図７に示すように、第二実施例では主走査方向の全域においてほぼ均一な放射照度が得られ、放射照度が比較例に比べて高くなる。光源１５から放射された光の利用効率を比較すると、比較例が７．４％であるのに対して第二実施例は１７％である。これらの違いは、第二実施例では導光部材１０の側面１０ｃに突部１１が形成されているため、導光部材１０の側面１０ｃと散乱部材３０との隙間から光が漏れ出ないことによる。なお、第二実施例では、導光部材１０の側面１０ｄには突部が形成されていないが、導光部材１０の側面１０ｄと散乱部材３０の隙間が位置決め部材２２によって塞がれていれば、このように主走査方向の全域においてほぼ均一な放射照度を得られることがわかる。
【００４０】
また図６に示すように、比較例では、主走査方向の中央における放射照度が副走査方向における放射照度の最大値より低くなる。これはレンズ部材２１の光軸上の原稿領域よりも導光部材１０に近い原稿領域が明るく照明されるために、レンズ部材２１の光軸上の原稿領域が暗くなるからである。これに対して図７に示すように第二実施例では、主走査方向の中央における放射照度が副走査方向における放射照度の最大値と等しくなる。このことから、導光部材１０の底面１０ａに対して射出面１０ｂを傾斜させることで、比較例に比べて導光部材１０から遠い原稿領域を照射できることがわかる。
【００４１】
次にプラテンガラス４０の上面に原稿を置いてリニアイメージセンサー５０の受光面を含む平面に原稿を結像させたシミュレーション結果について説明する。原稿面には主走査方向に延びる白い線分が黒を背景として形成されている。図８は第二実施例のシミュレーション結果を二次元画像として出力したイメージ、図９は第一実施例のシミュレーション結果を二次元画像として出力したイメージである。図８に示すように、第二実施例では導光部材１０の射出面１０ｂとプラテンガラス４０とが平行であるためゴーストが発生する。これに対して図９に示すように、第一実施例ではゴーストが抑制される。このことから、導光部材１０の射出面１０ｂとプラテンガラス４０とを平行でなくすると、射出面１０ｂとプラテンガラス４０での多重反射によるゴーストを抑制できることがわかる。
【００４２】
４．他の実施形態
尚、本発明の技術的範囲は、上述した実施の形態に限定されるものではなく、本発明の要旨を逸脱しない範囲内において種々変更を加え得ることは勿論である。例えば、上記実施形態で示した材質や寸法はあくまで例示であるし、当業者であれば自明である構成要素の追加や削除や入れ替えについては説明が省略されている。
【００４３】
具体的には例えば、結像光学装置２０として屈折率分布型レンズアレイを用いてもよい。また、光源１５としてＬＥＤ以外のものを用いてもよい。また導光部材１０の側面１０ｃ、１０ｄはそれぞれ単一の平坦面で構成されていてもよいし曲面で構成されていてもよい。導光部材１０の側面１０ｃ、１０ｄをそれぞれ単一の平坦面で構成する場合に、側面１０ｃ、１０ｄは互いに平行であってもよいし、射出面１０ｂに近づくほど互いに接近してもよい。また導光部材１０の厚さＴは長手方向において一定であってもよいし、光源１５から離れるほど薄くなってもよいし、光源１５から離れるほど厚くなってもよい。また、導光部材１０のレンズ部材２１側の側面１０ｄ全体を散乱部材３０で覆ってもよい。
【符号の説明】
【００４４】
１…原稿照明装置、１０…導光部材、１０ａ…底面、１０ｂ…射出面、１０ｃ…側面、１０ｄ…側面、１１…突部、１２…突部、１３…散乱部材、１５…光源、２０…結像光学装置、２１…レンズ部材、２１ａ…レンズ面、２１ｂ…レンズ面、２２…位置決め部材、３０…散乱部材、３０ａ…散乱面、４０…プラテンガラス、５０…リニアイメージセンサー、５０ａ…受光面、１００…画像読み取り装置、２００…画像読み取り装置、３００…画像読み取り装置、ｐ１…底面、ｐ２…射出面、ｐ３…平面
【図１】
2014120971.tif 000003
【図２】
2014120971.tif 000004
【図３】
2014120971.tif 000005
【図４】
2014120971.tif 000006
【図５】
2014120971.tif 000007
【図６】
2014120971.tif 000008
【図７】
2014120971.tif 000009
【図８】
2014120971.tif 000010
【図９】
2014120971.tif 000011